(57)【要約】【課題】本発明は自動車クリーニング用の拭き装置を開示した。【解決手段】拭き外殻を含み、モータを始動し、第一プーリを連動させて回転させ、第一プーリが第一ベルトを連動させて伝動させ、第一ベルトが前側の第三プーリと第一回転軸を連動させて回転させ、前側の第一回転軸が第二ベルトを連動させて伝動させ、第二ベルトが後側の第一回転軸を連動させて回転させ、車を洗った後で車の表面の水を拭き取ることができ、しかも人でタオルを絞る必要がなく、拭きながら絶えず加圧して排水することができ、バッテリパックが内蔵されており、電線をつないで使用する必要がなく、洗車することに便利を与え、時間と精力を節約する。【選択図】図１
2020175871.tif 000002
【特許請求の範囲】
【請求項１】
拭き外殻を含み、前記拭き外殻の右側端面の中には上に開口した反転溝が設置され、前記反転溝の前後内壁の中には対称的な回転リミットブロックが設置され、前後の前記回転リミットブロックの間にはリミット軸が回転できるように装着され、前記回転リミットブロックの中には環状溝が設置され、前記リミット軸には対称的なリミットブロックが設置され、前記リミットブロックが前記環状溝とスライドできるように連結され、前記リミット軸には制御ロッドが設置され、前記制御ロッドの右側端面には取っ手が設置され、前記拭き外殻の中には下に開口した拭きチャンバが設置され、前記拭き外殻の中において前記拭きチャンバの左側には伝動チャンバが設置され、前記拭きチャンバの中には車の外面の水分を拭き取ることができる拭き部品が設置され、前記拭き部品は前後対称の二本の第一回転軸と第二回転軸を含み、前記拭きチャンバの中と前記制御ロッドには前記拭き部品が吸った水分を排出できる水分排出装置が設置され、前記伝動チャンバの中には前記第一回転軸と前記第二回転軸の回転を制御できる駆動部品が設置され、前記拭き外殻の底部端面と前記拭き外殻の前後端面には車の表面に傷つくことを防止できるゴム層が設置されることを特徴とする自動車クリーニング用の拭き装置。
【請求項２】
前記拭き部品はまた、前記拭きチャンバの左右内壁の間に前後対称的に回転できるように装着されるローラを含み、前記第一回転軸と前記第二回転軸とが前記伝動チャンバの左側壁と前記拭きチャンバの右側壁との間に回転できるように装着され、前記第一回転軸と前記第二回転軸には対称的なリミットリングが設置され、前記リミットリングの間には伝動輪が設置され、前記伝動輪の外側にはゴムカバーが設置され、前記ゴムカバーの外側には伝動ベルトが伝動できるように装着され、前記伝動ベルトの外側にはスポンジが設置され、前記ゴムカバーが前記ローラと接触しながら前記ローラを回って通り、前記第一回転軸が回転して前記伝動輪と前記第二回転軸とを連動させて回転させ、前記伝動輪が前記伝動ベルトと前記スポンジとを連動させて伝動させ、前記伝動ベルトが前記ローラを連動させて回転させ、前記スポンジが伝動する時に車の表面の水分を拭き取ることを特徴とする請求項１に記載の自動車クリーニング用の拭き装置。
【請求項３】
前記駆動部品は前記伝動チャンバの右側に位置しているモータを含み、前記モータの左側の出力軸には第一プーリが設置され、前記第一回転軸には第二プーリと第三プーリとが設置され、前記第二回転軸には第四プーリが設置され、後側の前記第二回転軸には第五プーリが設置され、前記第一プーリと前側の前記第三プーリとの間には第一ベルトが伝動できるように装着され、前側の前記第二プーリと後側の前記第二プーリとの間には第二ベルトが伝動できるように装着され、後側の前記第三プーリと前記第五プーリとの間には第三ベルトが伝動できるように装着され、前記第四プーリの間には第四ベルトが伝動できるように装着され、前記モータを始動し、前記伝動輪を連動させて回転させることを特徴とする請求項１に記載の自動車クリーニング用の拭き装置。
【請求項４】
前記水分排出装置は前記拭きチャンバの左右壁の間に回転できるように装着される轢き輪を含み、前記轢き輪が前記スポンジと接触しており、前記拭きチャンバの左右壁の間には水遮りブロックが固定的に装着され、前記水遮りブロックが前記拭きチャンバの底壁と連結され、前記拭きチャンバの底壁には上に開口した集水溝が設置され、前記制御ロッドにはポンプ体が設置され、前記ポンプ体の中にはウォータポンプが設置され、前記ウォータポンプの左側には吸水パイプが連結され、前記吸水パイプが前記拭きチャンバの中に入り込んで前記集水溝の中まで伸びており、前記ウォータポンプの右側には排水パイプが連結され、前記排水パイプが前記制御ロッドに何周も巻き付けられており、前記スポンジが伝動する時に前記轢き輪と前記ローラとの間を経由し、前記スポンジが押されて水を排出し、水が前記轢き輪に沿って前記水遮りブロックに流れた後で前記集水溝の中まで流れ込み、前記ウォータポンプを始動した後で前記吸水パイプにより前記集水溝の中の水を吸い上げた後で前記排水パイプにより排出することを特徴とする請求項１に記載の自動車クリーニング用の拭き装置。
【請求項５】
前記拭き外殻の中には前後対称のバッテリパックが設置され、前記反転溝と前記ウォータポンプとの間には電線が設置され、前記拭き外殻の後側端面の中には充電孔が設置され、前記電線を通じて前記ウォータポンプに給電し、前記充電孔を通じて前記バッテリパックを充電することを特徴とする請求項１に記載の自動車クリーニング用の拭き装置。
【発明の詳細な説明】
【技術分野】
【０００１】
本発明は自動車クリーニング道具分野を取り上げて、具体的には自動車クリーニング用の拭き装置である。
【背景技術】
【０００２】
車を洗った後で水を拭き取る必要があり、車に残った水が外見に影響し、しかし、水を拭き取る時に水を吸着したタオルを絶えず絞る必要があり、時間や精力を費やし、便利に車についた水を拭くことができ、且つ手で絞る必要がない車用の拭き装置が不足している。
【先行技術文献】
【特許文献】
【０００３】
【特許文献１】中国特許出願公開第１０１７４６３６０号明細書
【発明の概要】
【発明が解決しようとする課題】
【０００４】
本発明は自動車クリーニング用の拭き装置を提供し、従来技術における上記欠点を解消することを目的とする。
【課題を解決するための手段】
【０００５】
本発明の実施例の自動車クリーニング用の拭き装置は、拭き外殻を含み、前記拭き外殻の右側端面の中には上に開口した反転溝が設置され、前記反転溝の前後内壁の中には対称的な回転リミットブロックが設置され、前後の前記回転リミットブロックの間にはリミット軸が回転できるように装着され、前記回転リミットブロックの中には環状溝が設置され、前記リミット軸には対称的なリミットブロックが設置され、前記リミットブロックが前記環状溝とスライドできるように連結され、前記リミット軸には制御ロッドが設置され、前記制御ロッドの右側端面には取っ手が設置され、前記拭き外殻の中には下に開口した拭きチャンバが設置され、前記拭き外殻の中において前記拭きチャンバの左側には伝動チャンバが設置され、前記拭きチャンバの中には車の外面の水分を拭き取ることができる拭き部品が設置され、前記拭き部品は前後対称の二本の第一回転軸と第二回転軸を含み、前記拭きチャンバの中と前記制御ロッドには前記拭き部品が吸った水分を排出できる水分排出装置が設置され、前記伝動チャンバの中には前記第一回転軸と前記第二回転軸の回転を制御できる駆動部品が設置され、前記拭き外殻の底部端面と前記拭き外殻の前後端面には車の表面に傷つくことを防止できるゴム層が設置される。
【０００６】
更の技術プランとして、前記拭き部品はまた、前記拭きチャンバの左右内壁の間に前後対称的に回転できるように装着されるローラを含み、前記第一回転軸と前記第二回転軸とが前記伝動チャンバの左側壁と前記拭きチャンバの右側壁との間に回転できるように装着され、前記第一回転軸と前記第二回転軸には対称的なリミットリングが設置され、前記リミットリングの間には伝動輪が設置され、前記伝動輪の外側にはゴムカバーが設置され、前記ゴムカバーの外側には伝動ベルトが伝動できるように装着され、前記伝動ベルトの外側にはスポンジが設置され、前記ゴムカバーが前記ローラと接触しながら前記ローラを回って通る。
【０００７】
更の技術プランとして、前記駆動部品は前記伝動チャンバの右側に位置しているモータを含み、前記モータの左側の出力軸には第一プーリが設置され、前記第一回転軸には第二プーリと第三プーリとが設置され、前記第二回転軸には第四プーリが設置され、後側の前記第二回転軸には第五プーリが設置され、前記第一プーリと前側の前記第三プーリとの間には第一ベルトが伝動できるように装着され、前側の前記第二プーリと後側の前記第二プーリとの間には第二ベルトが伝動できるように装着され、後側の前記第三プーリと前記第五プーリとの間には第三ベルトが伝動できるように装着され、前記第四プーリの間には第四ベルトが伝動できるように装着される。
【０００８】
更の技術プランとして、前記水分排出装置は前記拭きチャンバの左右壁の間に回転できるように装着される轢き輪を含み、前記轢き輪が前記スポンジと接触しており、前記拭きチャンバの左右壁の間には水遮りブロックが固定的に装着され、前記水遮りブロックが前記拭きチャンバの底壁と連結され、前記拭きチャンバの底壁には上に開口した集水溝が設置され、前記制御ロッドにはポンプ体が設置され、前記ポンプ体の中にはウォータポンプが設置され、前記ウォータポンプの左側には吸水パイプが連結され、前記吸水パイプが前記拭きチャンバの中に入り込んで前記集水溝の中まで伸びており、前記ウォータポンプの右側には排水パイプが連結され、前記排水パイプが前記制御ロッドに何周も巻き付けられている。
【０００９】
更の技術プランとして、前記拭き外殻の中には前後対称のバッテリパックが設置され、前記反転溝と前記ウォータポンプとの間には電線が設置され、前記拭き外殻の後側端面の中には充電孔が設置される。
【発明の効果】
【００１０】
本発明の有益効果は：本発明は構成が簡単で、操作が便利で、車を洗った後で車の表面の水を拭き取ることができ、しかも人でタオルを絞る必要がなく、拭きながら絶えず加圧して排水することができ、バッテリパックが内蔵されており、電線をつないで使用する必要がなく、洗車することに便利を与え、時間と精力を節約し、普及する価値がある。
【図面の簡単な説明】
【００１１】
【図１】図１は本発明の全体構成模式図
【図２】図２は図１の中の「Ａ」における拡大模式図
【図３】図３は図２の中の「Ｂ−Ｂ」方向の断面構成模式図
【図４】図４は図２の中の「Ｃ−Ｃ」方向の断面構成模式図
【図５】図５は図３の中の「Ｄ−Ｄ」方向の断面構成模式図
【発明を実施するための形態】
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜５を参照し、本発明の実施例の自動車クリーニング用の拭き装置は、拭き外殻１７を含み、前記拭き外殻１７の右側端面の中には上に開口した反転溝４１が設置され、前記反転溝４１の前後内壁の中には対称的な回転リミットブロック５１が設置され、前後の前記回転リミットブロック５１の間にはリミット軸４２が回転できるように装着され、前記回転リミットブロック５１の中には環状溝５３が設置され、前記リミット軸４２には対称的なリミットブロック５４が設置され、前記リミットブロック５４が前記環状溝５３とスライドできるように連結され、前記リミット軸４２には制御ロッド１５が設置され、前記制御ロッド１５の右側端面には取っ手１６が設置され、前記拭き外殻１７の中には下に開口した拭きチャンバ３７が設置され、前記拭き外殻１７の中において前記拭きチャンバ３７の左側には伝動チャンバ１８が設置され、前記拭きチャンバ３７の中には車の外面の水分を拭き取ることができる拭き部品９０１が設置され、前記拭き部品９０１は前後対称の二本の第一回転軸２６と第二回転軸３３を含み、前記拭きチャンバ３７の中と前記制御ロッド１５には前記拭き部品９０１が吸った水分を排出できる水分排出装置９０２が設置され、前記伝動チャンバ１８の中には前記第一回転軸２６と前記第二回転軸３３の回転を制御できる駆動部品９０３が設置され、前記拭き外殻１７の底部端面と前記拭き外殻１７の前後端面には車の表面に傷つくことを防止できるゴム層３４が設置される。
【００１４】
前記拭き部品９０１はまた、前記拭きチャンバ３７の左右内壁の間に前後対称的に回転できるように装着されるローラ３０を含み、前記第一回転軸２６と前記第二回転軸３３とが前記伝動チャンバ１８の左側壁と前記拭きチャンバ３７の右側壁との間に回転できるように装着され、前記第一回転軸２６と前記第二回転軸３３には対称的なリミットリング３５が設置され、前記リミットリング３５の間には伝動輪３６が設置され、前記伝動輪３６の外側にはゴムカバー４３が設置され、前記ゴムカバー４３の外側には伝動ベルト４７が伝動できるように装着され、前記伝動ベルト４７の外側にはスポンジ３８が設置され、前記ゴムカバー４３が前記ローラ３０と接触しながら前記ローラ３０を回って通り、これにより、使用する時、第一回転軸２６が回転して伝動輪３６と第二回転軸３３とを連動させて回転させ、伝動輪３６が伝動ベルト４７とスポンジ３８とを連動させて伝動させ、伝動ベルト４７がローラ３０を連動させて回転させ、スポンジ３８が伝動する時に車の表面の水分を拭き取る。
【００１５】
前記駆動部品９０３は前記伝動チャンバ１８の右側に位置しているモータ２２を含み、前記モータ２２の左側の出力軸には第一プーリ２１が設置され、前記第一回転軸２６には第二プーリ２４と第三プーリ２５とが設置され、前記第二回転軸３３には第四プーリ３１が設置され、後側の前記第二回転軸３３には第五プーリ３２が設置され、前記第一プーリ２１と前側の前記第三プーリ２５との間には第一ベルト２３が伝動できるように装着され、前側の前記第二プーリ２４と後側の前記第二プーリ２４との間には第二ベルト４８が伝動できるように装着され、後側の前記第三プーリ２５と前記第五プーリ３２との間には第三ベルト２７が伝動できるように装着され、前記第四プーリ３１の間には第四ベルト５０が伝動できるように装着され、これにより、モータ２２が起動する時、第一プーリ２１を連動させて回転させ、第一プーリ２１が第一ベルト２３を連動させて伝動させ、第一ベルト２３が前側の第三プーリ２５と第一回転軸２６を連動させて回転させ、前側の第一回転軸２６が第二ベルト４８を連動させて伝動させ、第二ベルト４８が後側の第一回転軸２６を連動させて回転させ、後側の第一回転軸２６が第三ベルト２７を連動させて伝動させ、第三ベルト２７が後側の第二回転軸３３を連動させて回転させ、後側の第二回転軸３３が前側の第二回転軸３３を連動させて回転させ、第二回転軸３３と第一回転軸２６とが伝動輪３６を連動させて回転させる。
【００１６】
前記水分排出装置９０２は前記拭きチャンバ３７の左右壁の間に回転できるように装着される轢き輪４４を含み、前記轢き輪４４が前記スポンジ３８と接触しており、前記拭きチャンバ３７の左右壁の間には水遮りブロック４５が固定的に装着され、前記水遮りブロック４５が前記拭きチャンバ３７の底壁と連結され、前記拭きチャンバ３７の底壁には上に開口した集水溝４６が設置され、前記制御ロッド１５にはポンプ体１０が設置され、前記ポンプ体１０の中にはウォータポンプ１１が設置され、前記ウォータポンプ１１の左側には吸水パイプ１３が連結され、前記吸水パイプ１３が前記拭きチャンバ３７の中に入り込んで前記集水溝４６の中まで伸びており、前記ウォータポンプ１１の右側には排水パイプ１２が連結され、前記排水パイプ１２が前記制御ロッド１５に何周も巻き付けられており、これによりスポンジ３８が伝動する時に轢き輪４４とローラ３０との間を経由し、スポンジ３８が押されて水を排出し、水が轢き輪４４に沿って水遮りブロック４５に流れた後で集水溝４６の中まで流れ込み、ウォータポンプ１１が起動した後で吸水パイプ１３により集水溝４６の中の水を吸い上げた後で排水パイプ１２により排出し、排水パイプ１２を外したら排水の位置を制御できる。
【００１７】
前記拭き外殻１７の中には前後対称のバッテリパック４０が設置され、前記反転溝４１と前記ウォータポンプ１１との間には電線１４が設置され、前記拭き外殻１７の後側端面の中には充電孔５２が設置され、これにより電線１４を通じてウォータポンプ１１に給電し、充電孔５２を通じてバッテリパック４０を充電する。
【００１８】
使用する時、モータ２２を始動し、第一プーリ２１を連動させて回転させ、第一プーリ２１が第一ベルト２３を連動させて伝動させ、第一ベルト２３が前側の第三プーリ２５と第一回転軸２６を連動させて回転させ、前側の第一回転軸２６が第二ベルト４８を連動させて伝動させ、第二ベルト４８が後側の第一回転軸２６を連動させて回転させ、後側の第一回転軸２６が第三ベルト２７を連動させて伝動させ、第三ベルト２７が後側の第二回転軸３３を連動させて回転させ、後側の第二回転軸３３が前側の第二回転軸３３を連動させて回転させ、第二回転軸３３と第一回転軸２６が伝動輪３６を連動させて回転させ、伝動輪３６が伝動ベルト４７とスポンジ３８とを連動させて伝動させ、伝動ベルト４７がローラ３０を連動させて回転させ、スポンジ３８が伝動する時に車の表面の水分を拭き取る。
【００１９】
スポンジ３８が伝動する時に轢き輪４４とローラ３０との間を経由し、スポンジ３８が押されて水を排出し、水が轢き輪４４に沿って水遮りブロック４５に流れた後で集水溝４６の中まで流れ込み、ウォータポンプ１１が起動した後で吸水パイプ１３により集水溝４６の中の水を吸い上げた後で排水パイプ１２により排出し、排水パイプ１２を外したら水の位置を制御できる。
【００２０】
異なる角度の表面を拭く時、リミット軸４２が回転リミットブロック５１の中で回転でき、拭き外殻１７の角度の調節に便利を与える。
【００２１】
本発明の有益効果は：本発明は構成が簡単で、操作が便利で、車を洗った後で車の表面の水を拭き取ることができ、しかも人でタオルを絞る必要がなく、拭きながら絶えず加圧して排水することができ、バッテリパックが内蔵されており、電線をつないで使用する必要がなく、洗車することに便利を与え、時間と精力を節約し、普及する価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175871.tif 000003
【図２】
2020175871.tif 000004
【図３】
2020175871.tif 000005
【図４】
2020175871.tif 000006
【図５】
2020175871.tif 000007
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
拭き外殻を含み、前記拭き外殻の右側端面の中には上に開口した反転溝が設置され、前記反転溝の前後内壁の中には対称的な回転リミットブロックが設置され、前後の前記回転リミットブロックの間にはリミット軸が回転できるように装着され、前記回転リミットブロックの中には環状溝が設置され、前記リミット軸には対称的なリミットブロックが設置され、前記リミットブロックが前記環状溝とスライドできるように連結され、前記リミット軸には制御ロッドが設置され、前記制御ロッドの右側端面には取っ手が設置され、前記拭き外殻の中には下に開口した拭きチャンバが設置され、前記拭き外殻の中において前記拭きチャンバの左側には伝動チャンバが設置され、前記拭きチャンバの中には車の外面の水分を拭き取ることができる拭き部品が設置され、前記拭き部品は前後対称の二本の第一回転軸と第二回転軸を含み、前記拭きチャンバの中と前記制御ロッドには前記拭き部品が吸った水分を排出できる水分排出装置が設置され、前記伝動チャンバの中には前記第一回転軸と前記第二回転軸の回転を制御できる駆動部品が設置され、前記拭き外殻の底部端面と前記拭き外殻の前後端面には車の表面に傷つくことを防止できるゴム層が設置されることを特徴とする自動車クリーニング用の拭き装置。
【請求項２】
前記拭き部品はまた、前記拭きチャンバの左右内壁の間に前後対称的に回転できるように装着されるローラを含み、前記第一回転軸と前記第二回転軸とが前記伝動チャンバの左側壁と前記拭きチャンバの右側壁との間に回転できるように装着され、前記第一回転軸と前記第二回転軸には対称的なリミットリングが設置され、前記リミットリングの間には伝動輪が設置され、前記伝動輪の外側にはゴムカバーが設置され、前記ゴムカバーの外側には伝動ベルトが伝動できるように装着され、前記伝動ベルトの外側にはスポンジが設置され、前記ゴムカバーが前記ローラと接触しながら前記ローラを回って通り、前記第一回転軸が回転して前記伝動輪と前記第二回転軸とを連動させて回転させ、前記伝動輪が前記伝動ベルトと前記スポンジとを連動させて伝動させ、前記伝動ベルトが前記ローラを連動させて回転させ、前記スポンジが伝動する時に車の表面の水分を拭き取ることを特徴とする請求項１に記載の自動車クリーニング用の拭き装置。
【請求項３】
前記駆動部品は前記伝動チャンバの右側に位置しているモータを含み、前記モータの左側の出力軸には第一プーリが設置され、前記第一回転軸には第二プーリと第三プーリとが設置され、前記第二回転軸には第四プーリが設置され、後側の前記第二回転軸には第五プーリが設置され、前記第一プーリと前側の前記第三プーリとの間には第一ベルトが伝動できるように装着され、前側の前記第二プーリと後側の前記第二プーリとの間には第二ベルトが伝動できるように装着され、後側の前記第三プーリと前記第五プーリとの間には第三ベルトが伝動できるように装着され、前記第四プーリの間には第四ベルトが伝動できるように装着され、前記モータを始動し、前記伝動輪を連動させて回転させることを特徴とする請求項２に記載の自動車クリーニング用の拭き装置。
【請求項４】
前記水分排出装置は前記拭きチャンバの左右壁の間に回転できるように装着される轢き輪を含み、前記轢き輪が前記スポンジと接触しており、前記拭きチャンバの左右壁の間には水遮りブロックが固定的に装着され、前記水遮りブロックが前記拭きチャンバの底壁と連結され、前記拭きチャンバの底壁には上に開口した集水溝が設置され、前記制御ロッドにはポンプ体が設置され、前記ポンプ体の中にはウォータポンプが設置され、前記ウォータポンプの左側には吸水パイプが連結され、前記吸水パイプが前記拭きチャンバの中に入り込んで前記集水溝の中まで伸びており、前記ウォータポンプの右側には排水パイプが連結され、前記排水パイプが前記制御ロッドに何周も巻き付けられており、前記スポンジが伝動する時に前記轢き輪と前記ローラとの間を経由し、前記スポンジが押されて水を排出し、水が前記轢き輪に沿って前記水遮りブロックに流れた後で前記集水溝の中まで流れ込み、前記ウォータポンプを始動した後で前記吸水パイプにより前記集水溝の中の水を吸い上げた後で前記排水パイプにより排出することを特徴とする請求項２に記載の自動車クリーニング用の拭き装置。
【請求項５】
前記拭き外殻の中には前後対称のバッテリパックが設置され、前記反転溝と前記ウォータポンプとの間には電線が設置され、前記拭き外殻の後側端面の中には充電孔が設置され、前記電線を通じて前記ウォータポンプに給電し、前記充電孔を通じて前記バッテリパックを充電することを特徴とする請求項４に記載の自動車クリーニング用の拭き装置。